(57)【特許請求の範囲】
【請求項１】
板状の被取付部を貫通する埋込穴に取付可能な、外面に取付バネが設けられた器具本体を有する埋込型照明器具用の取付金具であって、
最大幅が前記埋込穴の径より大きいプレートであって、前記埋込穴の径以下の径の第１挿通孔を有する環状の第１プレートと、
前記埋込穴の径と略同じ径の第２挿通孔を有する環状の第２プレートと、
前記第１プレートと前記第２プレートとを連結するための連結部材とを備え、
前記第１プレートは、前記第１挿通孔を形成する環の一部が切断された形状を有し、
前記第２プレートは、前記第２挿通孔に沿って設けられた段差部を有し、
（ａ）前記第１プレートが前記被取付部の第１主面側に配置され、
（ｂ）前記段差部が前記第１プレート側に位置するように、前記第２プレートが前記被取付部の前記第１主面の反対側の第２主面側に配置され、かつ、
（ｃ）前記第１挿通孔、前記埋込穴及び前記第２挿通孔が、平面視において略同心円状になるように配置された場合に、
（ｉ）前記段差部は、前記埋込穴に当接し、
（ｉｉ）前記第１プレートと前記第２プレートとは、前記連結部材によって前記段差部と前記第１プレートとが連結されることで、前記被取付部を挟持する
取付金具。
【請求項２】
前記第１プレートの端部には、折り返し部が設けられている
請求項１に記載の取付金具。
【請求項３】
前記第１プレートの平面視における外周形状は、略多角形であり、
前記折り返し部は、前記多角形の少なくとも一辺に設けられている
請求項２に記載の取付金具。
【請求項４】
前記第１プレートは、前記第１挿通孔に沿って立設した複数の舌片部を有し、
前記複数の舌片部は、前記第１プレートが前記第１主面側に配置された場合に、前記埋込穴に当接する
請求項１〜３のいずれか１項に記載の取付金具。
【請求項５】
前記連結部材は、ネジである
請求項１〜４のいずれか１項に記載の取付金具。
【請求項６】
前記第２プレートの平面視における形状は、略円環状である
請求項１〜５のいずれか１項に記載の取付金具。
【請求項７】
前記第１プレートの厚みは、０．８ｍｍ以上である
請求項１〜６のいずれか１項に記載の取付金具。
【請求項８】
前記第２プレートの厚みは、０．８ｍｍ以上１．２ｍｍ以下である
請求項１〜７のいずれか１項に記載の取付金具。
【請求項９】
さらに、前記第２プレートが前記第２主面側に配置された場合に前記第２プレートと前記第２主面との間をシールする環状のシール部材を備え、
前記第２プレートは、前記環状のシール部材を覆うように外周端部が折り返された折り返し部を有する
請求項１〜８のいずれか１項に記載の取付金具。
【請求項１０】
前記第１プレートの平面視における内周には、前記取付バネの移動を規制するための凹部が設けられている
請求項１〜９のいずれか１項に記載の取付金具。
【請求項１１】
請求項１〜１０のいずれか１項に記載の取付金具を備える埋込型照明器具。
【発明の詳細な説明】
【技術分野】
【０００１】
本発明は、埋込型照明器具用の取付金具及び埋込型照明器具に関する。
【背景技術】
【０００２】
従来、埋込型の照明器具として、例えば、ダウンライトのように天井に埋込配設されて、下方に光を照射する天井埋込型の照明器具などが知られている。この種の照明器具は、例えば２つ以上の取付バネが外周面に設けられた器具本体を有する。器具本体の光出射側の端部には、鍔部が設けられている。
【０００３】
天井には、当該照明器具を取り付けるための埋込穴が設けられている。照明器具は、取付バネが弾性変形された状態で埋込穴に挿入された後、取付バネがその復元力によって埋込穴の内周面を圧接し、かつ、鍔部が埋込穴の周辺の天井面に当接することで、保持される。
【０００４】
このとき、取付バネの圧接力によって天井が欠損してしまう恐れがある。このため、例えば、特許文献１には、取付バネによる圧接力を受ける取付補助板を天井材の裏側に設置することが開示されている。
【先行技術文献】
【特許文献】
【０００５】
【特許文献１】特開２００９−１４０６５０号公報
【発明の概要】
【発明が解決しようとする課題】
【０００６】
上記従来の取付補助板は、天井材の裏側に両面テープを用いて固定されている。しかしながら、照明器具の取付バネの圧接力が強いために、照明器具を取り付けた場合には、取付補助板が天井材の裏側から外れてしまうという問題がある。したがって、結果的に、照明器具を強固に固定することができない。
【０００７】
そこで、本発明は、埋込型照明器具の器具本体を強固に固定することができ、かつ、被取付部の欠損を抑制することができる埋込型照明器具用の取付金具及び当該取付金具を備える埋込型照明器具を提供することを目的とする。
【課題を解決するための手段】
【０００８】
上記目的を達成するため、本発明の一態様に係る埋込型照明器具用の取付金具は、板状の被取付部を貫通する埋込穴に取付可能な、外面に取付バネが設けられた器具本体を有する埋込型照明器具用の取付金具であって、最大幅が前記埋込穴の径より大きいプレートであって、前記埋込穴の径以下の径の第１挿通孔を有する環状の第１プレートと、前記埋込穴の径と略同じ径の第２挿通孔を有する環状の第２プレートと、前記第１プレートと前記第２プレートとを連結するための連結部材とを備え、前記第１プレートは、前記第１挿通孔を形成する環の一部が切断された形状を有し、前記第２プレートは、前記第２挿通孔に沿って設けられた段差部を有し、（ａ）前記第１プレートが前記被取付部の第１主面側に配置され、（ｂ）前記段差部が前記第１プレート側に位置するように、前記第２プレートが前記被取付部の前記第１主面の反対側の第２主面側に配置され、かつ、（ｃ）前記第１挿通孔、前記埋込穴及び前記第２挿通孔が、平面視において略同心円状になるように配置された場合に、（ｉ）前記段差部は、前記埋込穴に当接し、（ｉｉ）前記第１プレートと前記第２プレートとは、前記連結部材によって前記段差部と前記第１プレートとが連結されることで、前記被取付部を挟持する。
【０００９】
また、本発明の一態様に係る埋込型照明器具は、前記取付金具を備える。
【発明の効果】
【００１０】
本発明に係る埋込型照明器具用の取付金具によれば、埋込型照明器具の器具本体を強固に固定することができ、かつ、被取付部の欠損を抑制することができる。
【図面の簡単な説明】
【００１１】
【図１】実施の形態に係る埋込型の照明器具の概観斜視図である。
【図２】実施の形態に係る埋込型の照明器具の器具本体が、天井板に固定された取付金具に取り付けられている様子を示す概観斜視図である。
【図３】実施の形態に係る埋込型照明器具用の取付金具の分解斜視図である。
【図４】実施の形態において天井板に固定された状態の取付金具の上面図である。
【図５】実施の形態において天井板に固定された状態の取付金具の下面図である。
【図６】図４のＶＩ−ＶＩ線における取付金具の断面図である。
【図７】図４のＶＩＩ−ＶＩＩ線における取付金具の断面図である。
【図８】実施の形態に係る取付金具を天井板に固定する様子を示す図である。
【図９】実施の形態に係る埋込型の照明器具の器具本体が、天井板に固定された取付金具に取り付けられている様子を示す断面図である。
【図１０】実施の形態の変形例において天井板に固定された状態の取付金具の断面図である。
【発明を実施するための形態】
【００１２】
以下では、本発明の実施の形態に係る埋込型照明器具用の取付金具及び埋込型照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。また、各図において、同じ構成部材については同じ符号を付している。
【００１４】
（実施の形態）
［照明器具］
まず、実施の形態に係る埋込型照明器具の概要について、図１及び図２を用いて説明する。図１は、本実施の形態に係る埋込型の照明器具１００の概観斜視図である。図２は、本実施の形態に係る埋込型の照明器具１００の器具本体１１０が、天井板９０に固定された取付金具１０に取り付けられている様子を示す概観斜視図である。
【００１５】
照明器具１００は、ダウンライトなどの埋込型照明器具の一例であり、天井板９０などの被取付部に埋込配設されて下方に光を照射する。図１に示すように、照明器具１００は、取付金具１０と、器具本体１１０とを備える。器具本体１１０は、天井板９０に設けられた埋込穴９３に取付可能な、外面に取付バネ１１２が設けられている。
【００１６】
器具本体１１０の内部には、光源（図示せず）が配置されている。光源は、例えば、ＬＥＤ（Ｌｉｇｈｔ  Ｅｍｉｔｔｉｎｇ  Ｄｉｏｄｅ）モジュールである。なお、光源は、有機ＥＬ（Ｅｌｅｃｔｒｏ  Ｌｕｍｉｎｅｓｃｅｎｃｅ）素子、半導体レーザ素子などでもよく、あるいは、蛍光灯でもよい。
【００１７】
照明器具１００は、さらに、環状の鍔部１１４を有する。鍔部１１４は、器具本体１１０の光出射面側に設けられている。鍔部１１４の外径は、埋込穴９３の径より大きい。取付バネ１１２と鍔部１１４とが天井板９０を挟持することによって、器具本体１１０は、埋込穴９３に取り付けられる。
【００１８】
本実施の形態では、図２に示すように、器具本体１１０は、天井板９０に固定された取付金具１０に取り付けられることによって、埋込穴９３に取り付けられる。器具本体１１０の取り付けの詳細については、後で説明する。
【００１９】
天井板９０は、埋込型の照明器具１００の器具本体１１０が取り付けられる埋込穴９３が設けられた板状の被取付部の一例である。図２に示すように、天井板９０は、上面９１と、下面９２と、埋込穴９３とを有する。
【００２０】
上面９１は、被取付部の第１主面の一例であり、天井の裏面（天井裏側の面）である。下面９２は、被取付部の第１主面の反対側の第２主面の一例であり、天井の表面である。下面９２は、照明器具１００の光出射側の面である。
【００２１】
埋込穴９３は、天井板９０を貫通する孔である。埋込穴９３には、下面９２側から器具本体１１０が挿入されて、挿入された器具本体１１０が埋込穴９３の周辺部に取り付けられる。本実施の形態では、埋込穴９３の径は、照明器具１００の器具本体１１０が取付可能な穴の径と略同一である。埋込穴９３の径φ（図４参照）は、例えば、１００ｍｍ〜１２０ｍｍである。
【００２２】
天井板９０は、例えば、石膏ボードで形成されるが、これに限らない。天井板９０は、木材又は金属板などから形成されてもよい。天井板９０の厚さは、例えば、５ｍｍ〜２５ｍｍである。
【００２３】
［取付金具］
次に、本実施の形態に係る埋込型照明器具用の取付金具について、図３〜図７を用いて説明する。
【００２４】
図３は、本実施の形態に係る埋込型照明器具用の取付金具１０を示す分解斜視図である。図４は、本実施の形態において天井板９０に固定された状態の取付金具１０の上面図である。図５は、本実施の形態において天井板９０に固定された状態の取付金具１０の下面図である。図６は、図４のＶＩ−ＶＩ線における取付金具１０の断面図である。図７は、図４のＶＩＩ−ＶＩＩ線における取付金具１０の断面図である。
【００２５】
図３に示すように、取付金具１０は、環状の第１プレート２０と、環状の第２プレート３０と、ネジ４０とを備える。本実施の形態では、取付金具１０は、さらに、パッキン５０を備える。本実施の形態では、取付金具１０は、２つのネジ４０を備えるが、ネジ４０の数には特に限定されない。取付金具１０は、１つのみのネジ４０を備えてもよく、３つ以上のネジ４０を備えてもよい。
【００２６】
取付金具１０は、図２及び図４〜図７に示すように、ネジ４０によって連結された第１プレート２０と第２プレート３０とが天井板９０を挟持することで、天井板９０に固定される。具体的には、第１プレート２０は、天井板９０の上面９１に配置される。第２プレート３０は、天井板９０の下面９２に配置される。ネジ４０は、埋込穴９３内に配置されて、第１プレート２０と第２プレート３０とを連結する。これにより、第１プレート２０と第２プレート３０とは、天井板９０を挟持する。
【００２７】
第１プレート２０の第１挿通孔２４と、埋込穴９３と、第２プレート３０の第２挿通孔３５とは、平面視において略同心円状になるように配置される。なお、図３〜図６に示す一点鎖線は、第１挿通孔２４、埋込穴９３及び第２挿通孔３５が形成する略同心円の中心を通る軸Ｐを示している。
【００２８】
以下では、取付金具１０が備える各構成要素の詳細について、図面を用いて詳細に説明する。
【００２９】
［第１プレート］
第１プレート２０は、最大幅が埋込穴９３の径より大きく、第１挿通孔２４を有する環状のプレートである。第１プレート２０は、第１挿通孔２４を形成する環の一部が切断された形状を有する。具体的には、環の切断部分が切欠部２５に相当する。
【００３０】
第１プレート２０の平面視における外周形状は、略多角形である。なお、第１プレート２０の平面視における外周形状は、第１プレート２０の切欠部２５を除く形状である。本実施の形態では、図４に示すように、第１プレート２０の平面視における外周形状は、略八角形である。このとき、切欠部２５が設けられていないものとみなしている。なお、第１プレート２０の平面視における外周形状は、略多角形に限らず、略円形又は略楕円形などでもよい。
【００３１】
第１プレート２０は、例えば、亜鉛鋼板などの金属材料から形成される。第１プレート２０には、器具本体１１０が取り付けられた場合に、器具本体１１０の取付バネ１１２が圧接される。このため、第１プレート２０の材料として剛性の高い材料を用いることで、器具本体１１０の保持力を高めることができる。第１プレート２０は、例えば、１枚の金属板に曲げ加工又は切断加工などを行うことで形成される。
【００３２】
本実施の形態では、第１プレート２０の厚みは、０．８ｍｍ以上である。なお、第１プレート２０の厚みは、具体的には、第１プレート２０の材料と取付バネ１１２の圧接力とによって決定されてもよい。例えば、第１プレート２０の厚みは、取付バネ１１２の圧接力によって変形しない程度に、第１プレート２０の強度を保つことができる値でもよい。
【００３３】
本実施の形態では、図３に示すように、第１プレート２０は、枠体部２１と、折り返し部２２と、２つの舌片部２３と、第１挿通孔２４と、切欠部２５と、２つの第１貫通孔２６と、３つの凹部２７とを備える。
【００３４】
枠体部２１は、第１プレート２０の本体に相当する環状の平板部である。枠体部２１の平面視形状は、第１プレート２０の平面視形状に略一致する。枠体部２１は、一部が切断された環形状を有する。具体的には、枠体部２１の平面視形状は、略Ｕ字状である。
【００３５】
折り返し部２２は、第１プレート２０の端部に設けられている。具体的には、折り返し部２２は、枠体部２１の端部に立設している。
【００３６】
本実施の形態では、折り返し部２２は、第１プレート２０の外周端部に設けられている。具体的には、折り返し部２２は、第１プレート２０の平面視における外周形状である略多角形の少なくとも一辺に設けられている。図４に示すように、折り返し部２２は、切欠部２５が設けられた辺に対向する辺に設けられている。
【００３７】
折り返し部２２は、内周端部に、すなわち、第１挿通孔２４に沿って設けられていてもよい。折り返し部２２が内周端部に設けられている場合は、折り返しの方向は、第２プレート３０側でもよい。
【００３８】
舌片部２３は、第１挿通孔２４の内壁から第１挿通孔２４の内方に向かって突出している。舌片部２３には、第１貫通孔２６が設けられている。本実施の形態では、２つの舌片部２３が設けられている。２つの舌片部２３は、軸Ｐを中心として所定の角度（例えば、９０度）以上離れて配置される。
【００３９】
第１挿通孔２４は、照明器具１００の器具本体１１０を挿入するための孔である。第１挿通孔２４の平面視形状は、略円形である。第１挿通孔２４の径は、器具本体１１０の最大幅より大きく、埋込穴９３の径φに略等しい。ここで、第１挿通孔２４の径は、第１挿通孔２４の中心（軸Ｐ）から凹部２７までの距離ｒの２倍に相当する。
【００４０】
なお、第１挿通孔２４の径は、器具本体１１０が挿通可能であればよいので、例えば、器具本体１１０の外径が円錐台形状である場合などに、埋込穴９３の径より小さくてもよい。つまり、第１挿通孔２４は、埋込穴９３の径以下の径を有する。
【００４１】
切欠部２５は、図４に示すように、枠体部２１の一部を、第１挿通孔２４から外縁まで切り欠くように設けられている。つまり、切欠部２５は、環状の枠体部２１の切断部分（開放部分）に相当する。切欠部２５の幅ｗ１は、天井板９０の厚さｔ（図６参照）より大きい。
【００４２】
第１貫通孔２６は、ネジ４０を挿通するための孔である。第１貫通孔２６の内壁には、雌ねじが設けられていてもよい。第１貫通孔２６は、ネジ４０と螺合する。
【００４３】
凹部２７は、取付バネ１１２の移動を規制するために、第１プレート２０の平面視における内周に設けられている。凹部２７の幅ｗ２は、例えば、取付バネ１１２の幅に略等しい。照明器具１００の器具本体１１０が第１挿通孔２４に挿通された場合に、取付バネ１１２は、凹部２７内に配置されて凹部２７の底（第１挿通孔２４の内壁に相当）を圧接する。
【００４４】
なお、本実施の形態では、器具本体１１０の取付バネ１１２の個数に合わせて、３つの凹部２７が設けられているが、これに限らない。１つのみの凹部２７が設けられていてもよい。また、舌片部２３の個数なども特に限定されない。後述する第２プレート３０の凹部３７、段差部３３及び段差部３４についても同様である。
【００４５】
ここで、図８は、本実施の形態に係る取付金具１０を天井板９０に取り付ける様子を示す図である。第１プレート２０は、天井板９０の下面９２側から埋込穴９３を通過させて上面９１に配置する。
【００４６】
具体的には、図８の（ａ）に示すように、切欠部２５近傍の枠体部２１の端部（略Ｕ字の先端部分）の一方を埋込穴９３に挿入する。図８の（ｂ）に示すように、切欠部２５が天井板９０を挟み込むように、枠体部２１を回し入れることで、図８の（ｃ）に示すように、枠体部２１全体を天井板９０の上面９１に配置する。
【００４７】
［第２プレート］
第２プレート３０は、第２挿通孔３５を有する環状のプレートである。図５〜図７に示すように、第２プレート３０は、天井板９０の下面９２に配置される。
【００４８】
図５に示すように、第２プレート３０の平面視における形状は、略円環状である。なお、照明器具１００の器具本体１１０が取り付けられた場合に、第２プレート３０の少なくとも一部が、鍔部１１４によって覆われる。このため、第２プレート３０の平面視形状は、鍔部１１４の形状に応じて設計されてもよい。例えば、鍔部１１４が矩形である場合は、第２プレート３０の平面視形状も矩形でもよい。
【００４９】
また、第２プレート３０の外径は、鍔部１１４の外径より短くてもよい。これにより、第２プレート３０が鍔部１１４に完全に覆われるので、照明器具１００としての美観を高めることができる。
【００５０】
あるいは、第２プレート３０の外径が鍔部１１４の外径より大きくてもよい。この場合、第１プレート２０と第２プレート３０とによって天井板９０をより強固に挟持することができる。このとき、第２プレート３０の形状自体にデザイン性を持たせることで、照明器具１００の美観を高めてもよい。
【００５１】
第２プレート３０は、例えば、亜鉛鋼板などの金属材料から形成される。第２プレート３０は、第１プレート２０にネジ４０を介して連結されている。このため、第２プレート３０には、器具本体１１０の取付バネ１１２による圧接力に応じた力がネジ４０を介して加わる。このため、第２プレート３０の材料として剛性の高い材料を用いることで、器具本体１１０の保持力を高めることができる。第２プレート３０は、例えば、１枚の金属板に曲げ加工又は切断加工などを行うことで形成される。また、第２プレート３０は、天井板９０の下面９２に取り付けられるので、サビ防止又は美観の向上を目的として塗装されてもよい。
【００５２】
第２プレート３０の厚みは、０．８ｍｍ以上１．２ｍｍ以下である。なお、第２プレート３０の厚みは、具体的には、第２プレート３０の材料と取付バネ１１２の圧接力に応じて加わる力とによって決定されてもよい。例えば、第２プレート３０の厚みは、取付バネ１１２の圧接力に応じて加わる力によって変形しない程度に、第２プレート３０の強度を保つことができる値でもよい。
【００５３】
本実施の形態では、図３に示すように、第２プレート３０は、枠体部３１と、折り返し部３２と、２つの段差部３３と、２つの段差部３４と、第２挿通孔３５と、２つの第２貫通孔３６と、３つの凹部３７とを備える。
【００５４】
枠体部３１は、第２プレート３０の本体に相当する環状の平板部である。枠体部３１の平面視形状は、第２プレート３０の平面視形状に略一致する。具体的には、枠体部３１の平面視形状は、略円環状である。
【００５５】
折り返し部３２は、第２プレート３０の外周端部に設けられている。折り返し部３２は、図６の（ａ）に示すように、環状のパッキン５０を覆うように第２プレート３０の外周端部が折り返されることで形成される。折り返し部３２の形状は、円環状である。図６の（ｂ）に示すように、折り返し部３２の高さは、パッキン５０の厚さより小さい。
【００５６】
段差部３３及び段差部３４は、第２挿通孔３５に沿って設けられている。図７に示すように、段差部３３は、埋込穴９３に当接する。段差部３３には第２貫通孔３６が設けられている一方で、段差部３４には第２貫通孔３６は設けられていない。なお、図示しないが、段差部３４も埋込穴９３に当接する。
【００５７】
段差部３３は、ネジ４０によって第１プレート２０の舌片部２３と連結される。具体的には、段差部３３は、枠体部３１から立設した壁部３３ａと、枠体部３１に平行に設けられた平板部３３ｂとを有する。
【００５８】
壁部３３ａは、埋込穴９３に当接する。平板部３３ｂには、第２貫通孔３６が設けられている。壁部３３ａは、少なくともネジ４０の頭の厚さより高い。これにより、図７に示すように、ネジ４０を第２貫通孔３６に挿通させたときに、ネジ４０の頭は、枠体部３１より下方に突出しない。つまり、第２プレート３０は、段差部３３を備えることで、器具本体１１０を取り付けるときに、ネジ４０と器具本体１１０とが接触しないように形成されている。
【００５９】
図６に示すように、段差部３３は、第１プレート２０側に位置している。すなわち、段差部３３は、枠体部３１を基準として第１プレート２０側に位置するように形成されている。具体的には、壁部３３ａは、枠体部３１から第１プレート２０側に突出し、壁部３３ａの先端部（第１プレート２０側）から枠体部３１に平行に平板部３３ｂが延設されている。段差部３４についても同様である。
【００６０】
平面視において、第２貫通孔３６と第１貫通孔２６とが重複するように、２つの段差部３３は設けられている。具体的には、図５に示すように、２つの段差部３３は、軸Ｐを中心として所定の角度（例えば、９０度）以上離れて配置される。当該所定の角度は、２つの舌片部２３と軸Ｐとが形成する角度と略同じである。
【００６１】
段差部３４は、第２貫通孔３６が設けられていない点を除き、段差部３３と略同じである。本実施の形態では、段差部３４は、段差部３３より平面視における面積が小さいが、これに限らない。
【００６２】
２つの段差部３４は、軸Ｐを中心として、２つの段差部３３の略点対称な位置に配置される。これにより、段差部３３と段差部３４とによって、第２プレート３０の埋込穴９３に対する移動が規制される。
【００６３】
第２貫通孔３６は、ネジ４０を挿通するための孔である。第２貫通孔３６の内壁には、雌ねじが設けられていてもよい。第２貫通孔３６は、ネジ４０と螺合する。
【００６４】
第２挿通孔３５は、照明器具１００の器具本体１１０を挿入するための孔である。第２挿通孔３５の平面視形状は、略円形である。第２挿通孔３５の径は、器具本体１１０の最大幅より大きく、埋込穴９３の径φと略同じである。
【００６５】
凹部３７は、取付バネ１１２の移動を規制するために、第２プレート３０の平面視における内周に設けられている。凹部３７の幅は、例えば、取付バネ１１２の幅に略等しい。
【００６６】
［ネジ（連結部材）］
ネジ４０は、第１プレート２０と第２プレート３０とを連結するための連結部材の一例である。具体的には、ネジ４０は、第１プレート２０と第２プレート３０とを締結する。より具体的には、ネジ４０は、第１プレート２０の舌片部２３と第２プレート３０の段差部３３とを締結することで、第１プレート２０と第２プレート３０とを締め付け、天井板９０を挟持させる。つまり、本実施の形態では、ネジ４０の締結力によって、取付金具１０を天井板９０に固定する。
【００６７】
ネジ４０は、例えば、金属材料から形成される。ネジ４０の長さは特に限定されないが、例えば、天井板９０の厚さ以上の長さを有する。
【００６８】
［パッキン（シール材）］
パッキン５０は、第２プレート３０が下面９２側に配置された場合に第２プレート３０と下面９２との間をシールする環状のシール部材の一例である。パッキン５０の径は、埋込穴９３の径より大きく、第２プレート３０の外径より小さい。パッキン５０は、枠体部３１と下面９２との間を埋めるように、周方向に沿って設けられている。すなわち、パッキン５０は、全周にわたって枠体部３１と下面９２との両方に接触している。
【００６９】
パッキン５０は、水分透過率の低い材料から形成される。パッキン５０の材料としては、例えば、ブチルゴムなどの樹脂材料を用いることができる。
【００７０】
［取付バネによる圧接］
図９は、本実施の形態に係る埋込型の照明器具１００の器具本体１１０が取付金具１０に取り付けられている様子を示す断面図である。図９に示す断面は、図４のＶＩ−ＶＩ線における断面に相当する。
【００７１】
図９に示すように、照明器具１００の器具本体１１０が取付金具１０に取り付けられた場合、取付バネ１１２は、第１プレート２０を圧接する。具体的には、第１プレート２０の凹部２７の内面を圧接する。これは、第１挿通孔２４の径が埋込穴９３の径と略同じ、又は、埋込穴９３の径より小さいためである。すなわち、取付バネ１１２は、天井板９０を圧接しない。
【００７２】
［効果など］
従来、取付金具１０を用いずに、器具本体１１０を天井板９０に直接取り付けていた。この場合、上述したように、取付バネ１１２の圧接力によって天井板９０の一部が欠損するという問題がある。天井板９０の一部が欠損した場合、取付バネ１１２の圧接が不十分になり、器具本体１１０の保持力が低下する。このため、鍔部１１４と天井板９０との間に隙間ができて、美観が悪化する。
【００７３】
また、美観の悪化だけでなく、特に照明器具１００を建物の軒下などの屋外で使用する場合には、隙間から湿気などの水分及び塵埃などが埋込穴９３に進入するという問題がある。埋込穴９３に進入した水分などは、例えば、照明器具１００の電源回路（図示せず）などの故障を引き起こす恐れがある。
【００７４】
さらに、既設の照明器具を取り外し、取り外した埋込穴９３をそのまま利用して新しい照明器具を取り付けるというリニューアルの要望もある。しかしながら、天井板９０の一部が欠損した状態では、新しい照明器具を適切に取り付けることができなくなる恐れがある。つまり、天井板９０を修復する必要が生じ、簡単に、また、低コストでリニューアルを行うことができない。
【００７５】
これらの問題に対して、本実施の形態に係る埋込型照明器具用の取付金具１０は、天井板９０を貫通する埋込穴９３に取付可能な、外面に取付バネ１１２が設けられた器具本体１１０を有する照明器具１００用の取付金具１０であって、最大幅が埋込穴９３の径より大きいプレートであって、埋込穴９３の径以下の径の第１挿通孔２４を有する環状の第１プレート２０と、埋込穴９３の径と略同じ径の第２挿通孔３５を有する環状の第２プレート３０と、第１プレート２０と第２プレート３０とを連結するためのネジ４０とを備える。第１プレート２０は、第１挿通孔２４を形成する環の一部が切断された形状を有し、第２プレート３０は、第２挿通孔３５に沿って設けられた段差部３３を有する。（ａ）第１プレート２０が天井板９０の上面９１側に配置され、（ｂ）段差部３３が第１プレート２０側に位置するように、第２プレート３０が天井板９０の上面９１の反対側の下面９２側に配置され、かつ、（ｃ）第１挿通孔２４、埋込穴９３及び第２挿通孔３５が、平面視において略同心円状になるように配置された場合に、（ｉ）段差部３３は、埋込穴９３に当接し、（ｉｉ）第１プレート２０と第２プレート３０とは、ネジ４０によって段差部３３と第１プレート２０とが連結されることで、天井板９０を挟持する。
【００７６】
これにより、第１挿通孔２４の径が埋込穴９３の径以下であるので、取付バネ１１２は、天井板９０ではなく、天井板９０に固定された第１プレート２０を圧接する。したがって、天井板９０の状態によらずに照明器具１００の器具本体１１０を天井板９０に取り付けることができる。したがって、例えば、天井板９０の埋込穴９３の一部が欠損した状態であっても、器具本体１１０を天井板９０に所望の状態で取り付けることができる。また、取付バネ１１２は天井板９０に接触しないので、天井板９０の欠損を抑制することができる。
【００７７】
具体的には、第１プレート２０と第２プレート３０とは、ネジ４０によって互いに連結されることにより、天井板９０を挟持する。つまり、取付金具１０は、第１プレート２０と第２プレート３０とが天井板９０を挟み込む力によって、強固に固定されている。したがって、取付バネ１１２による圧接力を第１プレート２０が支えることができるので、器具本体１１０を天井板９０に強固に固定することができる。よって、例えば、リニューアルの際でも、既存の埋込穴９３をそのまま利用して新規の照明器具を取り付けることができる。
【００７８】
なお、天井板９０の上面９１に配置される第１プレート２０は、最大幅が埋込穴９３の径より大きい。したがって、第１プレート２０を、そのままでは（具体的には、並進運動によっては）埋込穴９３に挿入することができず、第１プレート２０を天井板９０の上面９１に固定することができない。つまり、第１プレート２０は、並進運動によっては埋込穴９３を通過できない形状を有する。
【００７９】
これに対して、第１プレート２０には、切欠部２５が設けられている。切欠部２５を利用して、天井板９０を挟み込むようにして第１プレート２０を回し入れることにより、第１プレート２０を天井板９０の上面９１に配置することができる（図８参照）。
【００８０】
さらに、段差部３３が埋込穴９３に当接するので、第２プレート３０の位置を規制することができる。例えば、第２プレート３０が自由に動くのを規制するので、取付金具１０を天井板９０に容易に固定することができる。
【００８１】
また、取付金具１０では、連結部材としてネジ４０を用いているので、第１プレート２０と第２プレート３０とを容易に連結することができる。したがって、例えば、照明器具１００を取り付ける作業者の負担を軽減することができる。また、ネジ４０を利用することで、取付金具１０が固定可能な天井板９０の厚みが限定されない。つまり、取付金具１０は、様々な厚みの天井板９０に固定することができるので、汎用性が高いという利点を有する。
【００８２】
また、例えば、第１プレート２０の端部には、折り返し部２２が設けられている。
【００８３】
これにより、第１プレート２０の機械的強度を高めることができるので、取付バネ１１２による圧接力に対する第１プレート２０の変形を抑制することができる。
【００８４】
また、例えば、第１プレート２０の平面視における外周形状は、略多角形であり、折り返し部２２は、多角形の少なくとも一辺に設けられている。
【００８５】
これにより、第１プレート２０の平面視における外周形状が略多角形であるので、折り返し部２２を容易に形成することができる。例えば、略多角形状の板金の一辺を折り曲げるだけで、折り返し部２２を形成することができる。したがって、第１プレート２０の形成が容易になり、製造コストを削減することができる。
【００８６】
また、例えば、取付金具１０は、連結部材として、２つのネジ４０を備える。
【００８７】
これにより、２つのネジ４０を利用することで、第１プレート２０と第２プレート３０とを強固に連結することができる。したがって、取付金具１０が強固に天井板９０に固定されるので、照明器具１００の器具本体１１０を強固に取り付けることができる。また、ネジ４０の本数が必要以上に多くないので、取付金具１０の固定作業が容易になり、作業者の負担を軽減することができる。
【００８８】
また、例えば、第２プレート３０の平面視における形状は、略円環状である。
【００８９】
これにより、第２プレート３０にかかる応力を略均等に分散させることができるので、第２プレート３０の機械的強度を高めることができる。
【００９０】
また、例えば、第１プレート２０の厚みは、０．８ｍｍ以上である。
【００９１】
これにより、第１プレート２０の機械的強度を高めることができるので、取付バネ１１２による圧接力に対する第１プレート２０の変形をより一層抑制することができる。
【００９２】
また、例えば、第２プレート３０の厚みは、０．８ｍｍ以上１．２ｍｍ以下である。
【００９３】
これにより、第２プレート３０の機械的強度を高めることができるので、器具本体１１０の取り付け時に起こりうる第２プレート３０の変形を抑制することができる。また、必要以上に第２プレート３０が厚くなることで天井板９０と器具本体１１０の鍔部１１４との間に大きな隙間が形成されるのを抑制することができる。よって、美観の向上、及び、水分の進入による回路の故障などを抑制することができる。
【００９４】
また、例えば、さらに、第２プレート３０が下面９２側に配置された場合に第２プレート３０と下面９２との間をシールする環状のパッキン５０を備え、第２プレート３０は、環状のパッキン５０を覆うように外周端部が折り返された折り返し部３２を有する。
【００９５】
これにより、第２プレート３０と下面９２との間の隙間を介して、水分及び塵埃などが埋込穴９３に進入するのを抑制することができる。また、折り返し部３２によってパッキン５０を外部から見えにくくすることができるので、照明器具１００の美観が損なわれるのを抑制することができる。
【００９６】
また、例えば、照明器具１００が屋外に使用される場合、パッキン５０が紫外線に曝されるのを抑制することができる。したがって、パッキン５０が樹脂材料などから形成されている場合には、特に有用である。
【００９７】
また、例えば、第１プレート２０の平面視における内周には、取付バネ１１２の移動を規制するための凹部２７が設けられている。
【００９８】
これにより、第１プレート２０に対する取付バネ１１２の位置を規制することができる。したがって、例えば、取付バネ１１２が切欠部２５に位置し、取付バネ１１２の圧接力が第１プレート２０ではなく、天井板９０に加えられることを抑制することができる。
【００９９】
また、本実施の形態に係る埋込型の照明器具１００は、取付金具１０を備える埋込型照明器具である。
【０１００】
これにより、器具本体１１０を強固に天井板９０に固定することができ、かつ、天井板９０の欠損を抑制することができる。
【０１０１】
（変形例）
以下では、上記の実施の形態に係る取付金具の変形例について説明する。
【０１０２】
図１０は、本変形例において天井板９０に固定された状態の取付金具２１０の断面図である。図１０に示す断面は、図７と同様に、図４のＶＩＩ−ＶＩＩ線における断面に相当する。
【０１０３】
本変形例に係る取付金具２１０は、上記の実施の形態と比較して、第１プレート２０の代わりに第１プレート２２０を備える点が異なっている。第１プレート２２０は、舌片部２３の代わりに舌片部２２３を備える。舌片部２２３は、複数設けられている。その他の点は、上記の実施の形態と同じであるので、説明を省略する。
【０１０４】
舌片部２２３は、第１挿通孔２４に沿って立設している。舌片部２２３は、第１プレート２２０が天井板９０の上面９１側に配置された場合に、埋込穴９３に当接する。本変形例では、舌片部２２３には、第１貫通孔２６が設けられ、ネジ４０によって第２プレート３０の段差部３３と連結されている。具体的には、舌片部２２３は、第２プレート３０に設けられた段差部３３と略同じ形状を有する。
【０１０５】
以上のように、本変形例に係る取付金具２１０では、例えば、第１プレート２２０は、第１挿通孔２４に沿って立設した複数の舌片部２２３を有し、複数の舌片部２２３は、第１プレート２２０が上面９１側に配置された場合に、埋込穴９３に当接する。
【０１０６】
これにより、舌片部２２３が埋込穴９３に当接するので、第１プレート２２０の位置を規制することができる。例えば、第１プレート２２０が自由に動くのを規制するので、取付金具２１０を天井板９０に容易に固定することができる。
【０１０７】
なお、本変形例では、舌片部２２３が段差部であり、ネジ４０による連結に利用する例について示したが、これに限らない。舌片部２２３は、第１挿通孔２４に沿って立設した壁でもよい。具体的には、取付金具２１０は、上記の実施の形態に示す舌片部２３に加えて、第１貫通孔２６を有さない複数の舌片部を備えてもよい。
【０１０８】
（その他）
以上、本発明に係る埋込型照明器具用の取付金具及び埋込型照明器具について、上記の実施の形態に基づいて説明したが、本発明は、上記の実施の形態に限定されるものではない。
【０１０９】
例えば、上記の実施の形態では、連結部材の一例としてネジ４０を示したが、これに限らない。連結部材として、ボルトとナットとを用いてもよい。
【０１１０】
また、例えば、上記の実施の形態では、シール部材の一例としてパッキン５０を示したが、これに限らない。シール部材は、例えば、シリコン樹脂などの樹脂材料を第２プレート３０の枠体部３１と天井板９０の下面９２との間に充填させて硬化させてもよい。なお、取付金具１０は、パッキン５０を備えていなくてもよい。
【０１１１】
また、例えば、上記の実施の形態では、被取付部の一例として天井板９０を示したが、これに限らない。被取付部は、例えば、建築物の壁材、床板などでもよい。
【０１１２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１３】
１０、２１０  取付金具
２０、２２０  第１プレート
２２  折り返し部
２３、２２３  舌片部
２４  第１挿通孔
２５  切欠部
２７  凹部
３０  第２プレート
３２  折り返し部
３３、３４  段差部
３５  第２挿通孔
４０  ネジ（連結部材）
５０  パッキン（シール部材）
９０  天井板（被取付部）
９１  上面（第１主面）
９２  下面（第２主面）
９３  埋込穴
１００  照明器具
１１０  器具本体
１１２  取付バネ
【図１】
0006489313.tif 000002
【図２】
0006489313.tif 000003
【図３】
0006489313.tif 000004
【図４】
0006489313.tif 000005
【図５】
0006489313.tif 000006
【図６】
0006489313.tif 000007
【図７】
0006489313.tif 000008
【図８】
0006489313.tif 000009
【図９】
0006489313.tif 000010
【図１０】
0006489313.tif 000011